【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
（ａ）
（ｉ）カルボン酸基、
（ｉｉ）カルボキシレート基、
（ｉｉｉ）スルホン酸基、
（ｉｖ）スルホネート基、または
（ｖ）これらの組み合わせのうち、少なくとも１つを有する色原体分子と、
（ｂ）無水マレイン酸コポリマー、および／または、カルボン酸含有ポリマーおよび／またはコポリマーから選択されるポリマーとを含み、
前記色原体分子および前記ポリマーが、それぞれ
（ｃ）金属に錯化している、
着色したレーキ錯体を含む着色剤。
【請求項２】
前記色原体分子が、少なくとも２つのカルボン酸基、カルボキシレート基、スルホン酸基、スルホネート基、またはこれらの組み合わせを有する、請求項１に記載の着色剤。
【請求項３】
前記色原体分子が、モノアゾ化合物、ジスアゾ化合物、フタロシアニン化合物、ローダミン化合物、アントラキノン化合物、ニトロソ化合物、ニトロ化合物、スチルベン化合物、ジアリールメタン化合物、トリアリールメタン化合物、キサンテン化合物、アクリジン化合物、キノリン化合物、メチン化合物、チアゾール化合物、インダミン化合物、インドフェノール化合物、アジン化合物、オキサジン化合物、チアジン化合物、アミノケトン化合物、インジゴイド化合物、またはこれらの混合物である、請求項１に記載の着色剤。
【請求項４】
前記色原体分子が、
【化１】
2013147649.tif 000001
またはその金属塩、
【化２】
2013147649.tif 000002
またはその金属塩、
【化３】
2013147649.tif 000003
またはその金属塩、
【化４】
2013147649.tif 000004
またはその金属塩、
【化５】
2013147649.tif 000005
またはその金属塩、
【化６】
2013147649.tif 000006
またはその金属塩、
【化７】
2013147649.tif 000007
またはその金属塩、
【化８】
2013147649.tif 000008
またはその金属塩、
【化９】
2013147649.tif 000009
またはその金属塩、
【化１０】
2013147649.tif 000010
またはその金属塩、
【化１１】
2013147649.tif 000011
またはその金属塩、
【化１２】
2013147649.tif 000012
またはその金属塩、
【化１３】
2013147649.tif 000013
またはその金属塩、
【化１４】
2013147649.tif 000014
またはその金属塩、
【化１５】
2013147649.tif 000015
またはその金属塩、
【化１６】
2013147649.tif 000016
またはその金属塩、
【化１７】
2013147649.tif 000017
またはその金属塩、
【化１８】
2013147649.tif 000018
またはその金属塩、
【化１９】
2013147649.tif 000019
またはその金属塩、
【化２０】
2013147649.tif 000020
（式中、ＭはＣｕ２＋、Ｚｎ２＋である）またはこれらの混合物、またはその金属塩、
【化２１】
2013147649.tif 000021
またはその金属塩、
【化２２】
2013147649.tif 000022
またはその金属塩、
【化２３】
2013147649.tif 000023
またはその金属塩、またはこれらの混合物である、請求項１に記載の着色剤。
【請求項５】
前記ポリマーが、以下の式
【化２４】
2013147649.tif 000024
【化２５】
2013147649.tif 000025
またはこれらの混合物であり；
ｓは、メタクリル酸ユニットの繰り返し数を表す整数であり；
ｔは、メタクリル酸エステルユニットの繰り返し数を表す整数であり；
ｕは、アクリル酸ユニットの繰り返し数を表す整数であり；
ｖは、アクリル酸エステルユニットの繰り返し数を表す整数であり；
ｗは、マレイン酸ハーフエステルユニットの繰り返し数を表す整数であり；
ｘは、無水マレイン酸ユニットの繰り返し数を表す整数であり；
ｙは、−ＣＨ２−Ｒ−ユニットの繰り返し数を表す整数であり；
Ｒは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールであり；
Ｒａは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールであり；
Ｒｂは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールである、請求項１に記載の着色剤。
【請求項６】
【化２６】
2013147649.tif 000026
が、
【化２７】
2013147649.tif 000027
（ｍは、−ＣＨ２−ユニットの繰り返し数を表す整数である。）
または
（ｊ）これらの混合物である、請求項５に記載の着色剤。
【請求項７】
前記ポリマーが無水マレイン酸コポリマーである、請求項１に記載の着色剤。
【請求項８】
前記金属が、Ｃａ、Ｍｇ、Ａｌ、Ｓｒ、Ｂａ、Ｚｎ、またはこれらの混合物である、請求項１に記載の着色剤。
【請求項９】
粒径が０．０５〜１μｍである、請求項１に記載の着色剤。
【請求項１０】
（ａ）転相インクの担体と、
（ｂ）
（１）
（ｉ）カルボン酸基、
（ｉｉ）カルボキシレート基、
（ｉｉｉ）スルホン酸基、
（ｉｖ）スルホネート基、または
（ｖ）これらの組み合わせのうち、少なくとも１つを有する色原体分子と、
（２）無水マレイン酸コポリマー、および／または、カルボン酸含有ポリマーおよび／またはコポリマーから選択されるポリマーとを含み、
前記色原体分子および前記ポリマーが、それぞれ
（３）金属に錯化している、
着色したレーキ錯体を含む着色剤と、を含む、転相インク。
【請求項１１】
前記転相インクの担体が、モノアミド、分岐したトリアミド、テトラ−アミド、またはこれらの混合物を含む、請求項１０に記載のインク。
【請求項１２】
前記転相インクの担体が、
（ａ）ポリエチレンワックス、（ｂ）ステアリルステアリン酸アミドワックス、（ｃ）ダイマー酸とエチレンジアミンと少なくとも３６個の炭素原子を有するカルボン酸との反応生成物であるダイマー酸ベースのテトラ−アミド樹脂、（ｄ）２当量のヒドロアビエチルアルコールと１当量のイソホロンジイソシアネートの反応から得られたウレタン樹脂、（ｅ）３当量のステアリルイソシアネートと、グリセロールに由来するアルコールの付加物であるウレタン樹脂を含む、請求項１０に記載のインク。
【請求項１３】
前記転相インクの担体が、
（ａ）ポリエチレンワックス、（ｂ）ステアリルステアリン酸アミドワックス、（ｃ）下記式の分岐したトリアミド
【化２８】
2013147649.tif 000028
（式中、ｘ、ｙ、ｚはそれぞれ独立してプロピレンオキシユニットの繰り返し数を表し、ｘ＋ｙ＋ｚは５〜６であり、ｐ、ｑおよびｒはそれぞれ他から独立して−（ＣＨ２）−ユニットの繰り返し数を表す整数であり、平均値が３５である）、（ｄ）３当量のステアリルイソシアネートと、グリセロールに由来するアルコールの付加物であるウレタン樹脂、および（ｅ）水素化アビエチン酸のトリグリセリドを含む、請求項１０に記載のインク。
【請求項１４】
前記着色剤が、前記インクの０．０５〜５０重量％の量で前記インク中に存在する、請求項１０に記載のインク。
【請求項１５】
前記色原体分子が、
【化２９】
2013147649.tif 000029
またはその金属塩、
【化３０】
2013147649.tif 000030
またはその金属塩、
【化３１】
2013147649.tif 000031
またはその金属塩、
【化３２】
2013147649.tif 000032
またはその金属塩、
【化３３】
2013147649.tif 000033
またはその金属塩、
【化３４】
2013147649.tif 000034
またはその金属塩、
【化３５】
2013147649.tif 000035
またはその金属塩、
【化３６】
2013147649.tif 000036
またはその金属塩、
【化３７】
2013147649.tif 000037
またはその金属塩、
【化３８】
2013147649.tif 000038
またはその金属塩、
【化３９】
2013147649.tif 000039
またはその金属塩、
【化４０】
2013147649.tif 000040
またはその金属塩、
【化４１】
2013147649.tif 000041
またはその金属塩、
【化４２】
2013147649.tif 000042
またはその金属塩、
【化４３】
2013147649.tif 000043
またはその金属塩、
【化４４】
2013147649.tif 000044
またはその金属塩、
【化４５】
2013147649.tif 000045
またはその金属塩、
【化４６】
2013147649.tif 000046
またはその金属塩、
【化４７】
2013147649.tif 000047
またはその金属塩、
【化４８】
2013147649.tif 000048
（式中、ＭはＣｕ２＋、Ｚｎ２＋である）またはこれらの混合物、またはその金属塩、
【化４９】
2013147649.tif 000049
またはその金属塩、
【化５０】
2013147649.tif 000050
またはその金属塩、
【化５１】
2013147649.tif 000051
またはその金属塩、またはこれらの混合物である、請求項１０に記載のインク。
【請求項１６】
前記ポリマーが、以下の式
【化５２】
2013147649.tif 000052
【化５３】
2013147649.tif 000053
またはこれらの混合物であり；
ｓは、メタクリル酸ユニットの繰り返し数を表す整数であり；
ｔは、メタクリル酸エステルユニットの繰り返し数を表す整数であり；
ｕは、アクリル酸ユニットの繰り返し数を表す整数であり；
ｖは、アクリル酸エステルユニットの繰り返し数を表す整数であり；
ｗは、マレイン酸ハーフエステルユニットの繰り返し数を表す整数であり；
ｘは、無水マレイン酸ユニットの繰り返し数を表す整数であり；
ｙは、−ＣＨ２−Ｒ−ユニットの繰り返し数を表す整数であり；
Ｒは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールであり；
Ｒａは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールであり；
Ｒｂは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールである、請求項１０に記載のインク。
【請求項１７】
前記金属が、Ｃａ、Ｍｇ、Ａｌ、Ｓｒ、Ｂａ、Ｚｎ、またはこれらの混合物である、請求項１０に記載のインク。
【請求項１８】
（ａ）モノアミド、分岐したトリアミド、テトラ−アミド、またはこれらの混合物を含む、転相インクの担体と、
（ｂ）
（１）
（ｉ）カルボン酸基、
（ｉｉ）カルボキシレート基、
（ｉｉｉ）スルホン酸基、
（ｉｖ）スルホネート基、または
（ｖ）これらの組み合わせのうち、少なくとも１つを有する色原体分子と、
（２）下記式の無水マレイン酸コポリマーとを含み、
【化５４】
2013147649.tif 000054
（ｘは、無水マレイン酸ユニットの繰り返し数を表す整数であり、
ｙは、−ＣＨ２−Ｒ−ユニットの繰り返し数を表す整数であり、
Ｒは、
（ａ）置換および非置換のアルキルを含み、アルキルにヘテロ原子が存在していてもよく、存在していなくてもよい、アルキル；
（ｂ）置換および非置換のアリールを含み、アリールにヘテロ原子が存在していてもよく、存在していなくてもよい、アリール；
（ｃ）置換および非置換のアリールアルキルを含み、アリールアルキルのアルキル部分およびアリール部分のいずれかまたは両方にヘテロ原子が存在していてもよく、存在していなくてもよい、アリールアルキル；または
（ｄ）置換および非置換のアルキルアリールを含み、アルキルアリールのアルキル部分およびアリール部分のいずれかまたは両方にヘテロ原子が存在していてもよく、存在していなくてもよい、アルキルアリールである。）
前記色原体分子および前記無水マレイン酸コポリマーが、それぞれ
（３）Ｃａ、Ｍｇ、Ａｌ、Ｓｒ、Ｂａ、Ｚｎ、またはこれらの混合物である金属に錯化している、着色したレーキ錯体を含む着色剤と、を含み、
前記着色剤が、前記インクの０．１〜１０重量％の量で前記インク中に存在する、
転相インク。